(57)【要約】【課題】小型化したバスバ装置を提供することを課題とする。【解決手段】バスバ装置１は、バッテリ５０に設けられたバッテリポスト５２と接続して電流が流れるバスバ２と、該バスバ２を覆う絶縁性のハウジング３と、該ハウジング３に取り付けられる回路基板５と、該回路基板５に搭載される電子部品４と、を備えたバスバ装置１において、前記バスバ２が、前記バッテリポスト５２が取り付けられるバッテリ取付部１３を設けた第１平板部９と、該第１平板部９と平行な平行部１６と、該平行部１６に連なりかつ負荷に接続された電線の端子金具が接続される電線接続部２１と、を設けた第２平板部１１と、該第２平板部１１と前記第１平板部９との間に設けられているとともに前記回路基板５と平行な第３平板部１０と、を備えて、前記第３平板部１０が、前記第１平板部９に対して交差する方向と平行に設けられている。【選択図】図３
2010225379.tif 000002
【特許請求の範囲】
【請求項１】
バッテリに設けられたバッテリポストと接続して電流が流れるバスバと、
該バスバを覆う絶縁性のハウジングと、
該ハウジングに取り付けられる回路基板と、
該回路基板に搭載される電子部品と、
を備えたバスバ装置において、
前記バスバが、前記バッテリポストが取り付けられるバッテリ取付部を設けた第１平板部と、
該第１平板部と平行な平行部と、該平行部に連なりかつ負荷に接続された電線の端子金具が接続される電線接続部と、を設けた第２平板部と、
該第２平板部と前記第１平板部との間に設けられているとともに前記回路基板と平行な第３平板部と、を備えて、
前記第３平板部が、前記第１平板部に対して交差する方向と平行に設けられていることを特徴とするバスバ装置。
【請求項２】
前記電線接続部が前記第３平板部と平行に設けられており、
前記電子部品からの電気信号を出力する外部出力端子を更に備えこの外部出力端子の一端部が前記回路基板に取り付けられかつ、前記外部出力端子の他端部が前記バッテリと前記電線接続部との間に配置されて前記電線接続部と平行に伸びていることを特徴とする請求項１に記載のバスバ装置。
【請求項３】
前記電線接続部が前記第３平板部と平行に設けられており、
前記電子部品からの電気信号を出力する外部出力端子を更に備えこの外部出力端子の一端部が前記回路基板に取り付けられかつ、前記外部出力端子の他端部が前記第３平板部と前記電線接続部との間に配置されて前記電線接続部に対して交差する方向に伸びていることを特徴とする請求項１に記載のバスバ装置。
【請求項４】
ヒュージブルリンクと、
該ヒュージブルリンクと一体に設けられかつ、バッテリに設けられたバッテリポストと接続して電流が流れるバスバと、
該バスバを覆う絶縁性のハウジングと、
該ハウジングに取り付けられる回路基板と、
該回路基板に搭載される電子部品と、
を備えたヒュージブルリンクユニットにおいて、
前記バスバが、前記バッテリポストが取り付けられるバッテリ取付部を設けた第１平板部と、
該第１平板部と平行な平行部と、該平行部に連なりかつ負荷に接続された電線の端子金具が接続される電線接続部と、を設けた第２平板部と、
該第２平板部と前記第１平板部との間に設けられているとともに前記回路基板と平行な第３平板部と、を備えて、
前記第３平板部が、前記第１平板部に対して交差する方向と平行に設けられていることを特徴とするヒュージブルリンクユニット。
【発明の詳細な説明】
【技術分野】
【０００１】
本発明は、バスバ装置に係り、バッテリからの電流が流れるバスバと、該バスバを覆う絶縁性のハウジングと、該ハウジングに取り付けられた回路基板と、該回路基板上に搭載された電子部品と、を備えたバスバ装置に関するものである。
【背景技術】
【０００２】
上述したバスバ装置として図９乃至図１０に示すようなものが一般的に知られている（例えば特許文献１）。バスバ装置９０１は、電流が流れる導体としてのバスバ９０２と、該バスバ９０２を覆う絶縁性のハウジング９０３と、該ハウジング９０３に取り付けられた回路基板９０５と、該回路基板９０５上に搭載されかつ電子部品としての前記バスバ９０２に電流が流れたときに発生する磁界の磁束密度を検出するホールＩＣ９０４と、前記回路基板９０５に取り付けられてホールＩＣ９０４の電気信号を外部に出力する外部出力端子９０７と、備えている。
【０００３】
バスバ９０２は、図１０に示すように、第１平板部９０９と、第１平板部９０９に連なる第２平板部９１０とで、略Ｌ字状に形成されている。
【０００４】
バスバ９０２は、バッテリ（図示しない）のバッテリポスト（図示しない）に接続されるバッテリ取付部９１３と、該バッテリ取付部９１３のバッテリから離れる方向に隣接しているセンサ搭載部９１４と、外部出力端子９０７を遊挿させる端子遊挿孔９１５と、負荷に接続された電線の端子金具が接続される電線接続部９２１と、を備えている。
【０００５】
第１平板部９０９は、バッテリ取付部９１３と、センサ搭載部９１４と、端子遊挿孔９１５と、を設けている。前記センサ搭載部９１４には、回路基板９０５に接続されたホールＩＣ９０４が搭載されている。
【０００６】
第２平板部９１０は、第１平板部９０９のバッテリ取付部９１３から離れた端部に直交して連なっている。第２平板部９１０は、前記端部から離れた端部に負荷に接続された電線の端子金具が接続される電線接続部９２１を設けている。
【先行技術文献】
【特許文献】
【０００７】
【特許文献１】特願２００８−２３８９５５号公報
【発明の概要】
【発明が解決しようとする課題】
【０００８】
しかしながら、上述したバスバ装置９０１においては、その長手方向の長さは、バッテリ取付部９１３及び、センサ搭載部９１４及び、端子遊挿孔９１５によって遊挿される外部出力端子９０７及び、負荷に接続された電線の端子金具が接続される電線接続部９２１が並べられた寸法である。このためバスバ９０２の長手方向の長さを短くすることが難しく、車輌レイアウト等の制限がある場合はバスバ装置９０１を搭載することが困難であった。
【０００９】
そこで、本発明は、上記のような問題点に着目し、小型化したバスバ装置を提供することを課題とする。
【課題を解決するための手段】
【００１０】
上記課題を解決するためになされた請求項１記載のバスバ装置は、バッテリに設けられたバッテリポストと接続して電流が流れるバスバと、該バスバを覆う絶縁性のハウジングと、該ハウジングに取り付けられる回路基板と、該回路基板に搭載される電子部品と、を備えたバスバ装置において、前記バスバが、前記バッテリポストが取り付けられるバッテリ取付部を設けた第１平板部と、該第１平板部と平行な平行部１６と、該平行部１６に連なりかつ負荷に接続された電線の端子金具が接続される電線接続部と、を設けた第２平板部と、該第２平板部と前記第１平板部との間に設けられているとともに前記回路基板と平行な第３平板部と、を備えて、前記第３平板部が、前記第１平板部に対して交差する方向と平行に設けられていることを特徴としている。
【００１１】
請求項２記載のバスバ装置は、請求項１記載のバスバ装置において、前記電線接続部が前記第３平板部と平行に設けられており、前記電子部品からの電気信号を出力する外部出力端子を更に備えこの外部出力端子の一端部が前記回路基板に取り付けられかつ、前記外部出力端子の他端部が前記バッテリと前記電線接続部との間に配置されて前記電線接続部と平行に伸びていることを特徴としている。
【００１２】
請求項３記載のバスバ装置は、請求項１記載のバスバ装置において、前記電線接続部が前記第３平板部と平行に設けられており、前記電子部品からの電気信号を出力する外部出力端子を更に備えこの外部出力端子の一端部が前記回路基板に取り付けられかつ、前記外部出力端子の他端部が前記第３平板部と前記電線接続部との間に配置されて前記電線接続部に対して交差する方向に伸びていることを特徴としている。
【００１３】
請求項４記載のヒュージブルリンクユニットは、ヒュージブルリンクと、該ヒュージブルリンクと一体に設けられかつ、バッテリに設けられたバッテリポストと接続して電流が流れるバスバと、該バスバを覆う絶縁性のハウジングと、該ハウジングに取り付けられる回路基板と、該回路基板に搭載される電子部品と、を備えたヒュージブルリンクユニットにおいて、前記バスバが、前記バッテリポストが取り付けられるバッテリ取付部を設けた第１平板部と、該第１平板部と平行な平行部と、該平行部に連なりかつ負荷に接続された電線の端子金具が接続される電線接続部と、を設けた第２平板部と、該第２平板部と前記第１平板部との間に設けられているとともに前記回路基板と平行な第３平板部と、を備えて、前記第３平板部が、前記第１平板部に対して交差する方向と平行に設けられていることを特徴としている。
【発明の効果】
【００１４】
以上説明したように請求項１記載の発明によれば、第３平板部は、電子部品が搭載された回路基板と平行でかつ第１平板部に対して交差（略直交）する方向と平行に設けられている。従って従来のバスバ装置と比較すると、本発明のバスバ装置は、第３平板部の長手方向の寸法分バスバの長手方向の寸法が短くなる。こうしてバスバ装置を小型化することができる。
【００１５】
請求項２記載の発明によれば、外部出力端子の他端部が電線接続部とバッテリとの間に配置されるとともに前記電線接続部と平行に伸びている。このため、前記電線接続部と前記バッテリとの間の空きスペースを有効に利用することが可能となり、バスバ装置を小型化できる。
【００１６】
また、外部出力端子の他端部が電線接続部とバッテリとの間に通されるとともに前記電線接続部と平行に伸びている。即ち外部出力端子の他端部がバッテリポストの設けられた端面に対して直交する方向に伸びている。このため、バッテリポストの周囲形状による制限を受けることがなくバッテリポストの周囲形状を考慮せずにバッテリを搭載することが可能となる。
【００１７】
請求項３記載の発明によれば、外部出力端子の他端部が、第３平板部と電線接続部との間に配置されるとともに前記電線接続部に対して交差する方向に伸びている。このため、バッテリポストの周囲形状による制限を受けることなく、バスバ装置を搭載することが可能となる。
【００１８】
また、外部出力端子の一端部は、バスバの外縁に近付けられて固定されている。そして、外部出力端子がバスバの第３平板部の幅方向に沿って固定されている。このため、外部出力端子がバスバの第３平板部の長手方向に沿って固定されるのに比べると、バスバの近傍の外部出力端子の面積が少なくなるため、外部出力端子の熱がバスバに伝導されることを低減することができる。そして、経時変化によるバスバの反りやねじれ等の歪みを緩和し長期に亘り使用することを可能としたバスバ装置を提供することができる。
【００１９】
請求項４記載の発明によれば、第３平板部は、電子部品が搭載された回路基板と平行でかつ第１平板部に対して交差（略直交）する方向と平行に設けられている。こうして、本発明のヒュージブルリンクユニットは、第３平板部の長手方向の寸法分バスバの長手方向の寸法が短くなる。こうしてヒュージブルリンクユニットを小型化することができる。
【図面の簡単な説明】
【００２０】
【図１】バッテリを取り付けた状態の本発明の第１の実施形態に係るバスバ装置及び第３の実施形態に係るヒュージブルリンクユニットの側面図である。
【図２】図１に示されたバスバ装置及びヒュージブルリンクユニットを構成するバスバの斜視図である。
【図３】図１に示されたバスバ装置及びヒュージブルリンクユニットの組立作業を説明するための説明図であり、インサート成形されていない状態のバスバに外部出力端子が取り付けられて、ホールＩＣが搭載された回路基板とコアが取り付けられる様子を示す説明図である。
【図４】図１に示されたバスバ装置及びヒュージブルリンクユニットの上面図である。
【図５】図４に示されたバスバ装置及びヒュージブルリンクユニットのＡ−Ａ線に沿う断面図である。
【図６】図５に示されたバスバの端子遊挿孔を拡大して示す要部拡大図である。
【図７】第２の実施形態に係るバスバ装置の断面図である。
【図８】図７に示されたバスバ装置の組立作業を説明するための説明図であり、インサート成形されていない状態のバスバに外部出力端子が取り付けられて、ホールＩＣが搭載された回路基板とコアが取り付けられる様子を示す説明図である。
【図９】従来のバスバ装置の一例を示す断面図である。
【図１０】図９に示されたバスバ装置を構成するバスバの斜視図である。
【発明を実施するための形態】
【００２１】
以下、本発明の第１の実施形態を図１乃至図６に基づいて説明する。本発明の第１の実施形態にかかるバスバ装置１は、後述するバッテリ５０のバッテリプラスポスト５２に、バッテリ端子５４及びスタットボルト５５を介して電気的に接続されている。
【００２２】
バッテリ５０は、収容ケース５１と、バッテリプラスポスト５２と、バッテリマイナスポスト（図示しない）と、を備えている。収容ケース５１は、絶縁性の合成樹脂等で構成され、箱型に形成されている。バッテリプラスポスト５２及びバッテリマイナスポストは各々が略円柱状に形成され、収容ケース５１の端面から突出している。なお、バッテリプラスポスト５２は、特許請求項の範囲に示された「バッテリポスト」をなしている。
【００２３】
バスバ装置１は、バッテリ５０に設けられたバッテリプラスポスト５２と接続して電流が流れるバスバ２と、該バスバ２を覆うハウジング３と、該ハウジング３に取り付けられる回路基板５と、該回路基板５に搭載される電子部品としての磁電変換素子としてのホールＩＣ４と、シールド板としてのコア６と、前記ホールＩＣ４からの電気信号を出力する複数の外部出力端子７と、カバー部８と、を備えている。
【００２４】
バスバ２は、導電性の板金をプレス加工して形成されている。バスバ２は、図２に示すように、バッテリプラスポスト５２が取り付けられるバッテリ取付部１３を設けた第１平板部９と、第２平板部１１と、第２平板部１１と第１平板部９との間に設けられているとともに回路基板５と平行であり、かつ記第１平板部９に対して交差する方向と平行に設けられている第３平板部１０と、を備えている。
【００２５】
第２平板部１１は、第１平板部９と平行な平行部１６と、該平行部１６に連なりかつ第３平板部１０と平行な第２平行部１７とで略Ｌ字状に形成されている。
【００２６】
第１平板部９は、バッテリプラスポスト５２が取り付けられるバッテリ取付部１３を設けている。
【００２７】
バッテリ取付部１３は、第１平板部９に設けられている。バッテリ取付部１３には取付孔１３Ａが設けられている。取付孔１３Ａは、第１平板部９を貫通する平面形状が円状の孔である。取付孔１３Ａは、スタッドボルト５５を通す。図１に示すように、スタッドボルト５５の端部にはバッテリ端子５４が取り付けられている。即ち、取付孔１３Ａに通されたスタッドボルト５５にナット５６を螺合させて、バスバ装置１がバッテリ端子５４に接続される（固定される）。このバッテリ端子５４をバッテリプラスポスト５２に取り付けると、バッテリ端子５４及びスタッドボルト５５を介してバスバ装置１をバッテリプラスポスト５２（即ちバッテリ５０）に取り付けることができる。
【００２８】
第２平板部１１は、スタータ用バスバ１８と、オルタネータ用バスバ１９と、これらスタータ用バスバ１８とオルタネータ用バスバ１９とを連結する連結片２５と、負荷に接続された電線の端子金具が接続される電線接続部としての接続端子２１と、ヒュージブルリンク２２と、を備えている。
【００２９】
スタータ用バスバ１８は、スタータ（図示しない）が接続されたスタータ用ワイヤハーネス（図示しない）取り付けられるスタータ接続部２０を設けている。スタータ用バスバ１８は、略Ｌ字状に形成されているとともに、平行部１６の一部と第２平行部１７の一部から構成されている。スタータ用バスバ１８は、その端部（即ち平行部１６の端部）が第３平板部１０の第１平板部９から離れた端部に連なっている。そして、スタータ用バスバ１８は、後述するオルタネータ用バスバ１９と一対のバッテリプラスポスト５２とバッテリマイナスポストが対向する方向Ｘ（図２に示す）に対して直交する方向Ｙに互いに間隔をあけて配されている。なお、前述した方向Ｘは「バスバ２の長手方向」を示している。
【００３０】
スタータ接続部２０は、スタータ用バスバ１８の平行部１６に設けられている。スタータ接続部２０には接続孔２０Ａが設けられている。接続孔２０Ａは、平行部１６を貫通する平面形状が円状の孔である。接続孔２０Ａ内には、図４に示すように、後述する樹脂製の接続用ボルト２９が挿入されて固定されている。そして、スタータ接続部２０には、スタータ用ワイヤハーネス（図示しない）の端部に設けられた平板状の端子金具（図示しない）が重ねられて、接続される。このスタータ用ワイヤハーネスにはスタータ（図示しない）が接続されている。そして、スタータ用ワイヤハーネスの端子金具に設けられた貫通孔（図示しない）に接続用ボルト２９を通す。こうして、接続用ボルト２９にスタータ用ワイヤハーネスの端子金具を通した状態でナットを螺合すると、スタータ用ワイヤハーネスがバスバ２（即ちバスバ装置１）に固定される。
【００３１】
オルタネータ用バスバ１９は、オルタネータ（図示しない）が接続されたオルタネータ用ワイヤハーネス（図示しない）が取り付けられるオルタネータ接続部２３を設けている。オルタネータ用バスバ１９は、略Ｌ字状に形成されているとともに、平行部１６の一部と第２平行部１７の一部から構成されている。
【００３２】
オルタネータ接続部２３は、オルタネータ用バスバ１９の平行部１６に設けられている。オルタネータ接続部２３には接続孔２３Ａが設けられている。接続孔２３Ａ、平行部１６を貫通する平面形状が円状の孔である。接続孔２３Ａ内には、図４に示すように、後述する樹脂製の接続用ボルト３０が挿入されて固定されている。そして、オルタネータ接続部２３には、オルタネータ用ワイヤハーネス（図示しない）の端部に設けられた平板状の端子金具（図示しない）が重ねられて、接続される。このオルタネータ用ワイヤハーネスにはオルタネータ（図示しない）が接続されている。そして、オルタネータ用ワイヤハーネスの端子金具に設けられた貫通孔（図示しない）に接続用ボルト３０を通す。こうして、接続用ボルト３０にオルタネータ用ワイヤハーネスの端子金具を通した状態でナットを螺合すると、オルタネータ用ワイヤハーネスがバスバ２（即ちバスバ装置１）に固定される。
【００３３】
連結片２５は、一対設けられている。一対の連結片２５は、第２平行部１７のスタータ用バスバ１８とオルタネータ用バスバ１９との間に設けられている。一対の連結片２５は、後述するヒュージブルリンク２２を介して連なっている。一対の連結片２５のうち一方の連結片２５は、スタータ用バスバ１８と一体に設けられている。一対の連結片２５のうち他方の連結片２５はオルタネータ用バスバ１９と一体に設けられている。
【００３４】
接続端子２１は、４つ設けられている。２つの接続端子２１は、スタータ用バスバ１８の平行部１６から離れた第２平行部１７の端部に後述するヒュージブルリンク２２を介して設けられている。残り２つの接続端子２１は、オルタネータ用バスバ１９の平行部１６から離れた第２平行部１７の端部にヒュージブルリンク２２を介して設けられている。接続端子２１は、平板状に形成されている。接続端子２１は、一端が負荷（図示しない）に接続された負荷用ワイヤハーネス（図示しない）の端部に設けられた端子金具（図示しない）と嵌合して負荷に接続される。接続端子２１は、前記第３平板部１０と平行に伸びている。接続端子２１は、後述する外部出力端子７の他端部と平行に伸びているとともに同方向に伸びている。なお、接続端子２１は、特許請求項の範囲に示された「電気接続部」をなしている。
【００３５】
ヒュージブルリンク２２は、比較的融点の低い金属等から形成され、バスバ装置１に過電流が流れた際に自己発熱によって溶断する。ヒュージブルリンク２２は、第２平板部１１（即ちバスバ２）と一体に設けられている。
【００３６】
第３平板部１０は、第１平板部９のバッテリ５０から離れた端部に連なりかつ、第１平板部９に対して交差（略直交）する方向と平行に設けられている。また、第３平板部１０は後述する回路基板５とも平行である。第３平板部１０は、センサ搭載部１４と、端子遊挿孔１５とを設けている。
【００３７】
センサ搭載部１４は、第３平板部１０に設けられている。このセンサ搭載部１４の第２平行部１７から離れた表面には、図３に示すように、後述する回路基板５に搭載されたホールＩＣ４が配置される。
【００３８】
端子遊挿孔１５は矩形状に設けられている。端子遊挿孔１５は第３平板部１０を貫通している。端子遊挿孔１５は、センサ搭載部１４の第２平板部１１寄りに隣接して設けられている。そして、端子遊挿孔１５には、図５及び図６に示すように後述する外部出力端子７が遊挿されて、後述するハウジング３によって埋設される。こうして、端子遊挿孔１５には、後述する外部出力端子７が接触せずに通されて（遊挿されて）固定される。従って、第３平板部１０（即ちバスバ２）と後述する外部出力端子７とは絶縁されている。
【００３９】
ハウジング３は、ナイロン樹脂やポリプロピレン樹脂等の比較的耐熱性の高い合成樹脂等で構成されている。ハウジング３は、上述したバスバ２全体を被覆しているとともに、上述したバスバ２と後述する外部出力端子７等をインサート形成により埋設している。
【００４０】
ハウジング３は、バスバ２の第１平板部９を被覆する第１被覆部４１と、バスバ２の第２平板部１１を被覆する第２被覆部４２と、バスバ２の第３平板部１０を被覆する第３被覆部４３と、で構成されている。
【００４１】
第２被覆部４２は、バスバ２の平行部１６を被覆する水平部４４と、該水平部４４に連なりかつ第２平行部１７を被覆する下垂部４５と、で略Ｌ字状に形成されている。
【００４２】
第１被覆部４１は、露出部２６を設けている。
【００４３】
露出部２６は、第１被覆部４１の第３被覆部４３から離れた端部から第１被覆部４１の両面を一部切り欠いている。露出部２６は、第１平板部９のバッテリ取付部１３の取付孔１３Ａ及び取付孔１３Ａの近傍を外部に露出させる。
【００４４】
水平部４４は、バスバ２のスタータ接続部２０を露出させる露出部２７と、前述した接続孔２０Ａに通される接続用ボルト２９と、バスバ２のオルタネータ接続部２３を露出させる露出部２８と、前述した接続孔２３Ａに通される接続用ボルト３０と、を設けている。
【００４５】
露出部２７は、水平部４４の下垂部４５寄りの端部から水平部４４の両面を一部切り欠いている。露出部２７は、スタータ接続部２０の接続孔２０Ａ及び接続孔２０Ａの近傍を外部に露出させる。露出部２８は、水平部４４の下垂部４５寄りの端部から水平部４４の両面を一部切り欠いている。露出部２８は、オルタネータ接続部２３の接続孔２３Ａ及び接続孔２３Ａの近傍を外部に露出させる。
【００４６】
接続用ボルト２９は、図示しないボルトが、スタータ接続部２０の接続孔２０Ａに挿入されてハウジング３に一体に固定されている。接続用ボルト３０は、図示しないボルトが、オルタネータ接続部２３の接続孔２３Ａに挿入されてハウジング３に一体に固定されている。
【００４７】
下垂部４５は、バスバ２の第２平行部１７を一体に被覆する。即ち、下垂部４５は、スタータ用バスバ１８の一部と、オルタネータ用バスバ１９の一部と、連結片２５と、接続端子２１と、ヒュージブルリンク２２と、を一体に被覆する。下垂部４５は、水平部４４から離れた端部に、前述したバスバ２の接続端子２１を収容する接続端子収容部３３を設けている。
【００４８】
接続端子収容部３３は筒状に形成されている。接続端子収容部３３は、ハウジング３に一体に設けられている。
【００４９】
第３被覆部４３は、回路基板５と回路基板５に搭載されたホールＩＣ４とを収容するケース本体部３１と、後述する外部出力端子７の他端部を収容する出力端子収容部３２と、を備えている。
【００５０】
ケース本体部３１は、図５に示すように、下垂部４５から離れる方向に向かって開口を有する箱状に形成されているとともに、前述したバスバ２の第３平板部１０を一体に埋設している。勿論、ケース本体部３１は、前述したバスバ２のセンサ搭載部１４及び端子遊挿孔１５上に設けられている。ケース本体部３１は、段差部３６と、第１位置決めピン（図示しない）及び第２位置決めピン（図示しない）と、４つのかしめ嵌合部（図示しない）と、を設けている。
【００５１】
段差部３６は、ケース本体部３１の内側の周壁に設けられているとともに、その全周に亘って内方向に凸に設けられている。段差部３６には、後述する回路基板５が重ねられて、ケース本体部３１は、回路基板５を収容する。
【００５２】
第１位置決めピン及び第２位置決めピンは、後述するそれぞれがコア６の位置決め孔６９それぞれに挿入することにより、コア６と第３被覆部４３（即ちハウジング３）とが位置決めされる。第１位置決めピンは、ケース本体部３１の幅方向（即ち方向Ｙ）の縁から立設しているとともに前述した露出部２７寄りの第１外壁部（図示しない）に設けられている。第２位置決めピンは、下垂部４５に相対する第３被覆部４３の外表面に設けられている。第１位置決めピン及び第２位置決めピンは、ハウジング３の外方向に凸に設けられている。
【００５３】
かしめ嵌合部は、後述するコア６のかしめ片６８Ｃによって加締められる。かしめ嵌合部は４つ設けられている。４つのかしめ嵌合部は、第１外壁部と、該第１外壁部に対向する第２外壁部（図示しない）に２つずつ設けられている。かしめ嵌合部は、ケース本体部３１の一対の第１外壁部及び第２外壁部それぞれの外表面から凹に設けられた溝である。かしめ嵌合部は一対の第１外壁部及び第２外壁部それぞれの長手方向の両端部に設けられているとともに、その幅方向の中央部に設けられている。
【００５４】
出力端子収容部３２は、図５に示すように、水平部４４から離れた第３被覆部４３の端部に設けられているとともに、ケース本体部３１から離れた第１被覆部４１の表面から突出するように設けられている。出力端子収容部３２は、ハウジング３に一体に設けられている。そして、出力端子収容部３２は筒状に形成されている。出力端子収容部３２は後述する外部出力端子７の他端部を収容する。出力端子収容部３２は、図１に示すように接続端子収容部３３とバッテリ５０との間に配されている。
【００５５】
磁電変換素子としてのホールＩＣ４は、バスバ２に電流が流れたときに発生する磁界の磁束密度を検出して電気信号に変換して出力する。ホールＩＣ４は、後述する回路基板５にホールＩＣ４の端子（図示しない）を介して接続される。ホールＩＣ４は、後述する回路基板５の一方の面に取り付けられる。そしてホールＩＣ４は、ハウジング３のケース本体部３１に収容される。勿論ホールＩＣ４は、バスバ２のセンサ搭載部１４上に配置されている。そして、ホールＩＣ４には、後述する外部出力端子７から回路基板５を介して電源が供給される。なお、ホールＩＣ４は、特許請求の範囲に示された「電子部品」に相当する。
【００５６】
回路基板５は、平板状に形成されている。回路基板５は、回路基板５のホールＩＣ４が搭載される一方の面と反対側の他方の面が前述したケース本体部３１の段差部３６に重ねられる。このように、回路基板５がケース本体部３１の段差部３６に重ねられると、回路基板５はバスバ２の第３平板部１０と平行である。回路基板５は、図３に示すように、他方の面に端子挿入孔（図示しない）を設けている。端子挿入孔は後述する外部出力端子７の一端部に挿入されて、回路基板５と外部出力端子７は接続する。回路基板５には、ホールＩＣ４の端子と、後述する外部出力端子７とを接続するための導電パターンが形成されている。
【００５７】
コア６は、図３などに示すように、バスバ２の第３平板部１０のセンサ搭載部１４において、電流の流れ方向であるＺ軸の周りを囲むように配置される。コア６は、断面略矩形状の環状に形成されている。コア６は、上板部６１Ａ、６１Ｂと、該上板部６１Ａ、６１Ｂと対向する下板部６３と、上板部６１Ａの縁と下板部６３の一方の縁に連なる第１側板部６２と、上板部６１Ｂの縁と下板部６３の他方の縁に連なる第２側板部６４と、から構成されている。第１側板部６２と第２側板部６４とは互いに対向している。上板部６１Ａ、６１Ｂの間には、ギャップ（図示しない）が設けられている。即ちＺ軸周り方向Ｚ１の中心には、ギャップが設けられている。
【００５８】
また、上述したコア６は、第１分割シールド板６６と、第２分割シールド板６７と、の２部品に分割されている。第１分割シールド板６６は、上板部６１Ａと、該上板部６１Ａに連なる第１側板部６２とで構成されている。第２分割シールド板６７は、上板部６１Ｂと、該上板部６１Ｂに連なる第２側板部６４と、該第２側板部６４に連なりかつ、上板部６１Ｂと対向する下板部６３とで構成されている。
【００５９】
このように分割されたコア６の第１分割シールド板６６及び第２分割シールド板６７は、ケース本体部３１のＺ軸方向を囲うように取り付けられる。この際、上板部６１Ａ、６１Ｂは、ケース本体部３１の開口を覆うように取り付けられる後述するカバー部８に取り付けられる。勿論、前述した上板部６１Ａ、６１Ｂの間に設けられたギャップは、下垂部４５から離れた第３被覆部４３の表面に設けられている。このようにコア６をケース本体部３１に取り付けると、コア６に囲まれた空間内にホールＩＣ４が配置される。
【００６０】
また、上述したコア６は、第１分割シールド板６６と第２分割シールド板６７とをカバー部８に取り付けるかしめ片６８Ａと、かしめ片６８Ｂと、該かしめ片６８Ｂに加締められるかしめ嵌合部（図示しない）と、第１分割シールド板６６と第２分割シールド板６７とをケース本体部３１に取り付けるかしめ片６８Ｃと、２つの位置決め孔６９と、を設けている。かしめ片６８Ａは、後述するカバー部８のかしめ嵌合部（図示しない）に加締められる。
【００６１】
かしめ片６８Ａは、４つ設けられている。かしめ片６８Ａは、第１分割シールド板６６には２つ設けられている。かしめ片６８Ａは、ケース本体部３１の開口を覆うようにカバー部８が取り付けられると、第２分割シールド板６７の上板部６１Ｂと相対する第１分割シールド板６６の上板部６１Ａの縁から突出するように設けられているとともに、その長手方向に互いに間隔をあけて設けられている。かしめ片６８Ａは、第２分割シールド板６７には２つ設けられている。かしめ片６８Ａは、ケース本体部３１の開口を覆うようにカバー部８が取り付けられると、第１分割シールド板６６の上板部６１Ａと相対する第２分割シールド板６７の上板部６１Ｂの縁から突出するように設けられているとともに、その長手方向に互いに間隔をあけて設けられている。
【００６２】
かしめ片６８Ｂは、第２分割シールド板６７のみに２つ設けられている。かしめ片６８Ｂは、第２分割シールド板６７がケース本体部３１に取り付けられると、第１分割シールド板６６の第１側板部６２に近接する第２分割シールド板６７の下板部６３の縁から突出するように設けられているとともに、その長手方向に互いに間隔をあけて設けられている。
【００６３】
かしめ嵌合部は、第１分割シールド板６６のみに２つ設けられている。かしめ嵌合部は、上板部６１Ａから離れた第１側板部６２の端部に設けられているとともに、その外表面から凹に設けられた溝である。そして、かしめ嵌合部は、第１側板部６２の長手方向に互いに間隔をあけて設けられている。
【００６４】
かしめ片６８Ｃは、コア６には４つ設けられている。かしめ片６８Ｃは、第１分割シールド板６６には２つ設けられている。かしめ片６８Ｃは、第１分割シールド板６６がケース本体部３１に取り付けられると、第１側板部６２の長手方向の両縁から突出するように設けられているとともに、その幅方向に中央部に設けられている。かしめ片６８Ｃは、第２分割シールド板６７には２つ設けられている。かしめ片６８Ｃは、第２分割シールド板６７がケース本体部３１に取り付けられると、第２側板部６４の長手方向の両縁から突出するように設けられているとともに、その幅方向に中央部に設けられている。
【００６５】
位置決め孔６９は２つ設けられている。２つの位置決め孔６９は、前述したケース本体部３１に設けられた第１位置決めピン及び第２位置決めピンそれぞれが挿入される。位置決め孔６９は、コア６を貫通している。１つの位置決め孔６９は、第１分割シールド板６６の第１側板部６２の上板部６１Ａから離れた端部に設けられているとともに、その幅方向の中央部に設けられている。残り１つの位置決め孔６９は、第２分割シールド板６７の下板部６３の第２側板部６４から離れた端部に設けられているとともに、その幅方向の中央部に設けられている。
【００６６】
外部出力端子７は、図示例では４つ設けられている。４つの外部出力端子７は、図３に示すように、バスバ２の第３平板部１０の幅方向（即ち方向Ｙ）に沿って並べられている。外部出力端子７は、図５に示すように、バスバ２の端子遊挿孔１５に遊挿されてハウジング３に一体に埋設されている。外部出力端子７は、上述したホールＩＣ４が出力する電気信号を外部に出力する。また前述したように外部出力端子７は、ホールＩＣ４に回路基板５を介して電源を供給する。外部出力端子７はＬ字状に形成されている。外部出力端子７は、一端部がバスバ２の端子遊挿孔１５に遊挿された後、回路基板５の端子挿入孔に挿入される。また、外部出力端子７の他端部は、出力端子収容部３２内に収容されている。外部出力端子７はその他端部が、バスバ２の接続端子２１とバッテリ５０との間に配置される。そして、外部出力端子７の他端部は、バスバ２の接続端子２１と平行に伸びているとともに同方向に伸びている。
【００６７】
カバー部８は、ケース本体部３１の開口を覆うように取り付けられて、ケース本体部３１内に粉塵や水等の異物が入ることを防止する。カバー部８は、非磁性体で形成されている。カバー部８は、コア６のかしめ片６８Ａに加締められるかしめ嵌合部を設けている。
【００６８】
かしめ嵌合部は、カバー部８がケース本体部３１に取り付けられると、カバー部８の一方の外表面から凹に設けられた溝である。
【００６９】
次に、上述したバスバ装置１の組立手順について説明する。上述したように、バスバ２及び外部出力端子７は、インサート成形によりハウジング３に一体に埋設されている。この際、外部出力端子７の一端部は、バスバ２の端子遊挿孔１５に遊挿されている。そして外部出力端子７の他端部が接続端子２１とバッテリ５０との間に配置されるとともに、接続端子２１と同方向に伸びている。こうして、外部出力端子７はハウジング３に埋設されている（固定されている）。次に、回路基板５の一方の面にホールＩＣ４の端子を半田付けして接続する。こうしてホールＩＣ４を回路基板５に搭載するとともに、回路基板５とホールＩＣ４とを電気的に接続する。次に、回路基板５の他方の面がケース本体部３１の開口と相対する格好で、回路基板５をケース本体部３１の開口に近づける。そして、外部出力端子７の一端部を回路基板５の端子挿入孔に挿入する。そして、外部出力端子７の一端部と回路基板５とを半田付けして接続する。こうして、外部出力端子７と回路基板５とを電気的に接続する。そして、回路基板５の他方の面を段差部３６に重ねる。こうして、回路基板５をケース本体部３１に収容する。次に、カバー部８の前記一方の外表面と反対側の他方の外表面をケース本体部３１の開口に近づけて、カバー部８が該開口を覆うように取り付ける。最後に、コア６の上板部６１Ａをカバー部８に近付ける格好で、第１位置決めピンを第１分割シールド板６６の位置決め孔６９に挿入する。そして、上板部６１Ｂをカバー部８に近付ける格好で、第２位置決めピンを第２分割シールド６７の位置決め孔６９に挿入する。そして、第１分割シールド板６６及び第２分割シールド板６７とケース本体部３１との位置決めを行う。その後かしめ片６８Ａ、６８Ｂ、６８Ｃを加締めて、第１分割シールド板６６と第２分割シールド板６７とをケース本体部３１及びカバー部８に取り付ける。こうして、カバー部８がケース本体部３１に取り付けられる。そして、コア６がハウジング３に取り付けられる。こうして、バスバ装置１が完成する。
【００７０】
上述したバスバ装置１によれば、第３平板部１０は、電子部品としてのホールＩＣ４が搭載された回路基板５と平行でかつ第１平板部９に対して交差（略直交）する方向と平行に設けられている。従って従来のバスバ装置９０１と比較すると、本発明のバスバ装置１は、第３平板部１０の長手方向の寸法分バスバ２の長手方向（即ち方向Ｘ）の寸法が短くなる。従って、バスバ装置１を小型化することができる。
【００７１】
外部出力端子７の他端部が、接続端子２１とバッテリ５０との間に配置されるとともに接続端子２１と平行に伸びている。このため、接続端子２１とバッテリ５０との間の空きスペースを有効に利用することが可能となり、バスバ装置１を小型化できる。
【００７２】
また、外部出力端子７の一端部がバスバ２の端子遊挿孔１５に遊挿される。そして、外部出力端子７の他端部が電線接続部としての接続端子２１とバッテリ５０との間に配置されるとともに接続端子２１と平行に伸びている。即ち外部出力端子７の他端部がバッテリプラスポスト５２の設けられた端面に対して直交する方向に伸びている。このため、バッテリプラスポスト５２の周囲形状による制限を受けることがなくバッテリプラスポスト５２の周囲形状を考慮せずにバッテリ５０を搭載することが可能となる。
【００７３】
次に、本発明の第２の実施形態に係るバスバ装置１０１を、図７乃至図８を参照して説明する。なお、前述した第１の実施形態と同一構成部分には、同一符号を付して重複する説明を省略する。
【００７４】
バスバ装置１０１は、バッテリ５０に設けられたバッテリプラスポスト５２と接続して電流が流れるバスバ１０２と、該バスバ１０２を覆うハウジング１０３と、該ハウジング１０３に取り付けられる回路基板５と、該回路基板５に搭載される電子部品としての磁電変換素子としてのホールＩＣ４と、シールド板としてのコア１０６と、前記ホールＩＣ４からの電気信号を出力する複数の外部出力端子７と、カバー部８と、を備えている。
【００７５】
バスバ１０２は、導電性の板金をプレス加工して形成されている。バスバ１０２は、図２に示すように、バッテリポスト５２が取り付けられるバッテリ取付部１３を設けた第１平板部９と、第２平板部１１と、第２平板部１１と第１平板部９との間に設けられているとともに回路基板５と平行でありかつ記第１平板部９に対して交差する方向と平行に設けられている第３平板部１００と、を備えている。
【００７６】
第３平板部１００は、第１平板部９のバッテリ５０から離れた端部に連なりかつ、第１平板部９に対して交差（略直交）する方向と平行に設けられている。また、第３平板部１００は後述する回路基板５とも平行である。第３平板部１００は、センサ搭載部１４と、切欠き１１５とを設けている。
【００７７】
切欠き１１５は、方向Ｙのスタータ用バスバ１８寄りの第３平板部１００の幅方向の縁を切り欠いている。そして、切欠き１１５は、第３平板部１００の長手方向の中央部に設けられている。
【００７８】
ハウジング１０３は、バスバ１０２の第１平板部９を被覆する第１被覆部４１と、バスバ１０２の第２平板部１１を被覆する第２被覆部４２と、バスバ１０２の第３平板部１００を被覆する第３被覆部１４３と、で構成されている。
【００７９】
第３被覆部１４３は、回路基板５と回路基板５に搭載されたホールＩＣ４とを収容するケース本体部１３１と、後述する外部出力端子７の他端部を収容する出力端子収容部３２と、を備えている。
【００８０】
ケース本体部１３１は、図５に示すように、下垂部４５から離れる方向に向かって開口を有する箱状に形成されているとともに、前述したバスバ１０２の第３平板部１００を一体に埋設している。勿論、ケース本体部１３１は、前述したバスバ１０２のセンサ搭載部１４及び切欠き１１５上に設けられている。ケース本体部１３１は、段差部３６と、第１位置決めピン（図示しない）及び第２位置決めピン（図示しない）と、３つのかしめ嵌合部（図示しない）と、を設けている。
【００８１】
かしめ嵌合部は、後述するコア１０６のかしめ片６８Ｃによって加締められる。かしめ嵌合部は、ケース本体部１３１の一対の第１外壁部及び第２外壁部それぞれの外表面から凹に設けられた溝である。かしめ嵌合部は３つ設けられている。２つのかしめ嵌合部は、第１外壁部の長手方向の両端部に設けられているとともに、その幅方向の中央部に設けられている。そして、残り１つのかしめ嵌合部は、第１外壁部と対向する第２外壁部（図示しない）に設けられていてかつ、該第２外壁部の長手方向の第１被覆部４１寄りの端部に設けられているとともに、その幅方向の中央部に設けられている。
【００８２】
コア１０６は、図７に示すように、バスバ１０２のセンサ搭載部１４において、電流の流れ方向であるＺ軸の周りを囲むように配置される。コア１０６は、断面略矩形状の環状に形成されている。コア１０６は、上板部６１Ａ、６１Ｂと、該上板部６１Ａ、６１Ｂと対向する下板部６３と、上板部６１Ａの縁と下板部６３の縁に連なる第１側板部６２と、上板部６１Ｂの縁と下板部６３の縁に連なる第２側板部１６４と、から構成されている。第１側板部６２と第２側板部１６４とは互いに対向している。上板部６１Ａ、６１Ｂの間には、ギャップ（図示しない）が設けられている。即ちＺ軸周り方向Ｚ１の中心には、ギャップが設けられている。
【００８３】
また、上述したコア１０６は、第１分割シールド板６６と、第２分割シールド板１６７と、の２部品に分割されている。第１分割シールド板６６は、上板部６１Ａと、該上板部６１Ａに連なる第１側板部６２とで構成されている。第２分割シールド板１６７は、上板部６１Ｂと、該上板部６１Ｂに連なる第２側板部１６４と、該第２側板部１６４に連なりかつ、上板部６１Ｂと対向する下板部６３とで構成されている。
【００８４】
第２分割シールド板１６７は、スリット１６５を設けている。スリット１６５は、第２分割シールド板１６７がケース本体部１３１に取り付けられると、第２側板部１６４のオルタネータ用バスバ１９寄りの長手方向の縁に設けられているとともに、その幅方向の中央部から開口を有して切り欠かれている。スリット１６５は、第２側板部１６４の長手方向に直線状に延在している。スリット１６５は、第２側板部１６４を貫通している。また、スリット１６５の開口には外部出力端子７の前述した一端部と他端部との間に位置する外部出力端子７の中央部が通される。
【００８５】
外部出力端子７は、図８に示すように、図示例では４つ設けられている。４つの外部出力端子７は、バスバ１０２の第３平板部１００の長手方向に沿って並べられている。外部出力端子７は、一端部がバスバ１０２の切欠き１１５に近付けられて、ハウジング１０３に一体に埋設されている。また、外部出力端子７の他端部は、出力端子収容部３２内に収容されている。外部出力端子７はその他端部が、バスバ１０２の第３平板部１００と接続端子２１との間に配置される。そして、外部出力端子７の他端部は、バスバ１０２の接続端子２１に対して交差する方向に伸びている。
【００８６】
なお、前述したように外部出力端子７は、ハウジング１０３によってインサート成形により埋設されている。このため、外部出力端子７はハウジング１０３によって被覆されているため、外部出力端子７の中央部（即ち外部出力端子７）とスリット１６５（即ちコア１０６）と、は接触しない（絶縁されている）。
【００８７】
次に、上述したバスバ装置１０１の組立手順について説明する。上述したように、バスバ１０２及び外部出力端子７は、インサート成形によりハウジング１０３に一体に埋設されている。この際、外部出力端子７の一端部は、バスバ１０２の切欠き１１５に近付けられて固定されている。そして外部出力端子７の他端部が第３平板部１００と接続端子２１との間に配されるとともに、接続端子２１に対して交差する方向に伸びている。外部出力端子７は前述した格好でハウジング１０３に埋設されている（固定されている）。次に、回路基板５の一方の面にホールＩＣ４の端子を半田付けして接続する。こうしてホールＩＣ４を回路基板５に搭載するとともに、回路基板５とホールＩＣ４とを電気的に接続する。次に、回路基板５の他方の面がケース本体部１３１の開口と相対する格好で、回路基板５をケース本体部１３１の開口に近づける。そして、外部出力端子７の一端部を回路基板５の端子挿入孔に挿入する。そして、外部出力端子７の一端部と回路基板５とを半田付けして接続する。こうして、外部出力端子７と回路基板５とを電気的に接続する。そして、回路基板５の他方の面を段差部３６に重ねる。こうして、外部出力端子７と回路基板５とを電気的に接続する。次に、カバー部８の前記一方の外表面と反対側の他方の外表面をケース本体部１３１の開口に近づけて、カバー部８が該開口を覆うように取り付ける。最後に、コア１０６の上板部６１Ａをカバー部８に近付ける格好で、第１位置決めピンを第１分割シールド板６６の位置決め孔６９に挿入する。そして、上板部６１Ｂをカバー部８に近付ける格好で、第２位置決めピンを第２分割シールド１６７の位置決め孔６９に挿入する。そして、第１分割シールド板６６及び第２分割シールド板１６７とケース本体部１３１との位置決めを行う。その後かしめ片６８Ａ、６８Ｂ、６８Ｃを加締めて、第１分割シールド板６６と第２分割シールド板１６７とをケース本体部１３１及びカバー部８に取り付ける。こうして、カバー部８がケース本体部１３１に取り付けられる。そして、コア１０６がハウジング１０３に取り付けられる。こうして、バスバ装置１０１が完成する。
【００８８】
上述したバスバ装置１０１によれば、外部出力端子７の他端部が、第３平板部１００と接続端子２１との間に配置されるとともに接続端子２１に対して交差する方向に伸びている。このため、バッテリプラスポスト５２の周囲形状による制限を受けることなく、バスバ装置１０１を搭載することが可能となる。
【００８９】
また、外部出力端子７の一端部は、バスバ１０２の切欠き１１５に近付けられて固定されている。また、４つの外部出力端子７は、バスバ１０２の第３平板部１００の長手方向に沿って並べられている。即ち外部出力端子７の長手方向が、第３平板部１００の幅方向に沿って固定されている。このためバスバ１０２の近傍の外部出力端子７の面積が少なくなるため、外部出力端子７の熱がバスバ１０２に伝導されることを低減することができる。こうして経時変化によるバスバ１０２の反りやねじれ等の歪みを緩和し長期に亘り使用することを可能としたバスバ装置１０１を提供することができる。
【００９０】
次に、本発明の第３の実施形態に係るヒュージブルリンクユニット１Ａを、図１乃至図６を参照して説明する。なお、前述した第１の実施形態と同一構成部分には、同一符号を付して重複する説明を省略する。
【００９１】
ヒュージブルリンクユニット１Ａは、ヒュージブルリンク２２と、該ヒュージブルリンク２２と一体に設けられかつ、バッテリ５０に設けられたバッテリプラスポスト５２と接続して電流が流れるバスバ２と、該バスバ２を覆うハウジング３と、該ハウジング３に取り付けられる回路基板５と、該回路基板５に搭載される電子部品としての磁電変換素子としてのホールＩＣ４と、シールド板としてのコア６と、前記ホールＩＣ４からの電気信号を出力する複数の外部出力端子７と、カバー部８と、を備えている。
【００９２】
次に、上述したヒュージブルリンクユニット１Ａの組立手順について説明する。上述したように、バスバ２及び外部出力端子７は、インサート成形によりハウジング３に一体に埋設されている。この際、外部出力端子７の一端部は、バスバ２の端子遊挿孔１５に遊挿されている。そして外部出力端子７の他端部が接続端子２１とバッテリ５０との間に配置されるとともに、接続端子２１と同方向に伸びている。こうして、外部出力端子７はハウジング３に埋設されている（固定されている）。次に、回路基板５の一方の面にホールＩＣ４の端子を半田付けして接続する。こうしてホールＩＣ４を回路基板５に搭載するとともに、回路基板５とホールＩＣ４とを電気的に接続する。次に、回路基板５の他方の面がケース本体部３１の開口と相対する格好で、回路基板５をケース本体部３１の開口に近づける。そして、外部出力端子７の一端部を回路基板５の端子挿入孔に挿入する。そして、外部出力端子７の一端部と回路基板５とを半田付けして接続する。こうして、外部出力端子７と回路基板５とを電気的に接続する。そして、回路基板５の他方の面を段差部３６に重ねる。こうして、回路基板５をケース本体部３１に収容する。次に、カバー部８の前記一方の外表面と反対側の他方の外表面をケース本体部３１の開口に近づけて、カバー部８が該開口を覆うように取り付ける。最後に、コア６の上板部６１Ａをカバー部８に近付ける格好で、第１位置決めピンを第１分割シールド板６６の位置決め孔６９に挿入する。そして、上板部６１Ｂをカバー部８に近付ける格好で、第２位置決めピンを第２分割シールド６７の位置決め孔６９に挿入する。そして、第１分割シールド板６６及び第２分割シールド板６７とケース本体部３１との位置決めを行う。その後かしめ片６８Ａ、６８Ｂ、６８Ｃを加締めて、第１分割シールド板６６と第２分割シールド板６７とをケース本体部３１及びカバー部８に取り付ける。こうして、カバー部８がケース本体部３１に取り付けられる。そして、コア６がハウジング３に取り付けられる。こうして、ヒュージブルリンクユニット１Ａが完成する。
【００９３】
上述したヒュージブルリンクユニット１Ａによれば、第３平板部１０は、電子部品としてのホールＩＣ４が搭載された回路基板５と平行でかつ第１平板部９に対して交差（略直交）する方向と平行に設けられている。こうして、本発明のヒュージブルリンクユニット１Ａは、第３平板部１０の長手方向の寸法分バスバ２の長手方向（即ち方向Ｘ）の寸法が短くなる。従って、ヒュージブルリンクユニット１Ａを小型化することができる。
【００９４】
なお、第１の実施形態及び第３の実施形態において、端子遊挿孔１５は、４つの外部出力端子７が遊挿可能な略矩形状設けられている。しかしながら本発明はこれに限ったものではない。端子遊挿孔１５は、４つの外部出力端子７のそれぞれが遊挿可能な孔状でもよい。
【００９５】
また、第１の実施形態及び第３の実施形態において、外部出力端子７は、バッテリ５０と接続端子２１との間に配置されるとともに接続端子２１と平行に伸びている。そして、外部出力端子７の他端部と接続端子２１とは同方向に伸びている。しかしながら本発明はこれに限ったものではない。外部出力端子７の他端部は、接続端子２１と平行に伸びているとともに、接続端子２１とは、互いに離れる方向に伸びていてもよい。
【００９６】
また、第２の実施形態において、外部出力端子７の他端部が、第３平板部１００と接続端子２１との間に配置されるとともに接続端子２１に対して交差（略直交）する一方向に伸びている。しかしながら本発明はこれに限ったものではない。外部出力端子７の他端部が、第３平板部１００と接続端子２１との間に配置されるとともに接続端子２１に対して交差（略直交）する前記一方向と反対の他方向に伸びていてもよい。
【００９７】
また、特許請求の範囲に記載された「電子部品」には、ホールＩＣ４が用いられている。しかしながら本発明はこれに限ったものではない。特許請求の範囲に記載された「電子部品」には、例えばバッテリ５０のバッテリ液温の測定に用いられる温度センサが用いられても良い。
【００９８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００９９】
１、１０１  バスバ装置
１Ａ  ヒュージブルリンクユニット
２、１０２  バスバ
３、１０３  ハウジング
４  ホールＩＣ（電子部品）
５  回路基板
７  外部出力端子
９  第１平板部
１０、１００  第３平板部
１１  第２平板部
１３  バッテリ取付部
１６  平行部
２１  接続端子（電線接続部）
２２  ヒュージブルリンク
５０  バッテリ
５２  バッテリプラスポスト（バッテリポスト）
【図１】
2010225379.tif 000003
【図２】
2010225379.tif 000004
【図３】
2010225379.tif 000005
【図４】
2010225379.tif 000006
【図５】
2010225379.tif 000007
【図６】
2010225379.tif 000008
【図７】
2010225379.tif 000009
【図８】
2010225379.tif 000010
【図９】
2010225379.tif 000011
【図１０】
2010225379.tif 000012